(57)【特許請求の範囲】
【請求項１】
少なくとも２つのＬＥＤを設けた本体と、
前記ＬＥＤに対向するように本体に取り付けた取り外し可能なパネルとを備え、
前記パネルは、
前記ＬＥＤが並ぶ方向に延びるＬＥＤ表示窓と、
前記ＬＥＤと対向する部分をＬＥＤ光の透過方向に厚くした厚肉部と、前記ＬＥＤと対向しない部分をＬＥＤ光の透過方向に薄くした薄肉部と、前記ＬＥＤ表示窓に内側から嵌入する突状部とからなる前記ＬＥＤの光を透過する光透過部材と、
前記光透過部材と前記ＬＥＤとの間に配置され、前記光透過部材を保持するとともに、前記光透過部材の薄肉部に位置する前記ＬＥＤの光を透過しない光非透過部を有する保持部材とからなり、
前記光透過部材の薄肉部と前記保持部材の光非透過部の先端面を、隙間を設けて配置したことを特徴とする家庭用電気機器のＬＥＤ表示装置。
【請求項２】
前記突状部の外面は前記少なくとも２つのＬＥＤが並ぶ方向に平坦であることを特徴とする請求項１に記載の家庭用電気機器のＬＥＤ表示装置。
【請求項３】
前記保持部材の光非透過部の色は、前記光透過部材の色よりも濃い色であることを特徴とする請求項１又は２に記載の家庭用電気機器のＬＥＤ表示装置。
【発明の詳細な説明】
【技術分野】
【０００１】
本発明は空気清浄機、除湿機、加湿器などの空気調和機、炊飯器などの調理器を含む家庭用電気機器に使用されるＬＥＤ表示器、詳しくはそのＬＥＤの光を透過させる構造に関する。
【背景技術】
【０００２】
従来、特許文献１や特許文献２に記載されているように、空気清浄機などに使用されるＬＥＤ表示器は、運転モード、メニュー、電源のオン、オフ等の表示するためのＬＥＤを設け、これらのＬＥＤを覆うパネルに孔を設け、該孔に拡散インキ等の透過性のあるインキを塗布したパネルシートを貼り付けたものが多い。
【０００３】
しかし、従来の構造では、ＬＥＤが点灯していないときでも、拡散インキ部分がパネルシートから浮かび上がり、ＬＥＤの光が透過する部分とその周囲の部分との間に色差が生じ、見栄えが悪いという問題があった。
【先行技術文献】
【特許文献】
【０００４】
【特許文献１】特開２００４−３５６０３５号公報
【特許文献２】特開平１１−１９５３３９号公報
【発明の概要】
【発明が解決しようとする課題】
【０００５】
本発明は、前記従来の問題に鑑みてなされたもので、ＬＥＤの点灯時には光を必要以上に拡散させずに必要なＬＥＤの光だけを明瞭に表示し、ＬＥＤの消灯時には表示が見えず周辺との色差を均一にすることができる家庭用電気機器のＬＥＤ表示装置を提供することを課題とする。
【課題を解決するための手段】
【０００６】
前記課題を解決するために、本発明（請求項１）は、
少なくとも２つのＬＥＤを設けた本体と、
前記ＬＥＤに対向するように本体に取り付けた取り外し可能なパネルとを備え、
前記パネルは、
前記ＬＥＤが並ぶ方向に延びるＬＥＤ表示窓と、
前記ＬＥＤと対向する部分をＬＥＤ光の透過方向に厚くした厚肉部と、前記ＬＥＤと対向しない部分をＬＥＤ光の透過方向に薄くした薄肉部と、前記ＬＥＤ表示窓に内側から嵌入する突状部とからなる前記ＬＥＤの光を透過する光透過部材と、
前記光透過部材と前記ＬＥＤとの間に配置され、前記光透過部材を保持するとともに、前記光透過部材の薄肉部に位置する前記ＬＥＤの光を透過しない光非透過部を有する保持部材とからなり、
前記光透過部材の薄肉部と前記保持部材の光非透過部の先端面を、隙間を設けて配置したものである。
【０００７】
本願発明（請求項２）では、前記突状部の外面は前記少なくとも２つのＬＥＤが並ぶ方向に平坦であることが好ましい。
【０００９】
本発明（請求項３）では、前記保持部材の光非透過部の色は、前記光透過部材の色よりも濃い色であることが好ましい。
【発明の効果】
【００１０】
本発明（請求項１）によれば、ＬＥＤを点灯すると、ＬＥＤから出た光は光透過部材の厚肉部を透過し、外部に放射される。この厚肉部を透過する光は薄肉部に位置する光非透過部により周囲への放散が防止されるので、ＬＥＤから出た光を明瞭に視認することができる。ＬＥＤを消灯すると、外部からは光透過部材の厚肉部の色が見えるが、薄肉部からは保持部材の光非透過部が見えるので、厚肉部を通して見える色と薄肉部を通して見える色に差が無くなり、ＬＥＤの全領域を均一に視認することができ、見栄えがよい。
また、光透過部材の薄肉部と保持部材の光非透過部の隙間に僅かな光が進入し、この僅かな光により、厚肉部を通して見える色と薄肉部を通して見える色との間の色差をより一層無くすることができ、ＬＥＤの全領域をさらに均一に視認することができ、見栄えがさらに向上する。
【００１１】
本発明（請求項２）によれば、突状部の外面は少なくとも２つのＬＥＤが並ぶ方向に平坦であるので、ＬＥＤが点灯しているときには、光透過部材の凹凸の無い平坦な面からＬＥＤの光が見え、ＬＥＤが消灯しているときには、光透過部材の凹凸の無い平坦な面しか見えないので、見栄えがよい。
【００１３】
本発明（請求項３）によれば、保持部材の光非透過部の色を光透過部材の色よりも濃い色としているので、厚肉部を通して見える消灯時のＬＥＤの暗さと、乳白色の薄肉部を通して見える保持部材の光非透過部の暗さが同等に見えるので、ＬＥＤの全領域をさらに均一に視認することができ、見栄えがさらに向上する。
【図面の簡単な説明】
【００１４】
【図１】空気清浄機の前面パネルの正面図（Ａ）、平面図（Ｂ）、側面図（Ｃ）。
【図２】図１の前面パネルの一部拡大図。
【図３】空気清浄機の本体の正面図。
【図４】空気清浄機の表示部の垂直断面図。
【図５】空気清浄機の表示部の図４のＶ−Ｖ線水平断面図。
【図６】ＬＥＤの光透過部材（Ａ）及び保持部材（Ｂ）の斜視図、光透過部材の側面図（Ｃ）。
【図７】図５の一部拡大図。
【図８】ＬＥＤ表示部の拡大図で、各部材を透視して見た正面図。
【図９】ＬＥＤ表示部の拡大図で、ＬＥＤ点灯状態の正面図（Ａ）、光非透過部材が無い場合のＬＥＤ消灯状態の正面図（Ｂ）、ＬＥＤ消灯状態の正面図（Ｃ）。
【発明を実施するための形態】
【００１５】
以下、本発明の実施の形態を添付図面に従って説明する。
【００１６】
図１は、本発明にかかるＬＥＤ表示装置を設けた空気清浄機１の前面パネル２を示す。前面パネル２は、矩形の鉛直な面の両端縁が後方に向かって湾曲した前面部３と、前面部３の上端縁から水平に延びる天面部４とからなっている。前面部３の中央には、空気を取り入れるルーバー５が形成されている。前面部３とこれに連続する天面部４とが形成する稜部６の右側部分には、第１スイッチ（切タイマー）と第２スイッチ（入/切選択スイッチ）のスイッチ操作部７ａ、７ｂが設けられている。スイッチ操作部７ａ、７ｂの下方の前面部３には、各種選択コースをＬＥＤで表示するための横方向に延びるＬＥＤ表示窓８が設けられている。図２は、ＬＥＤ表示窓８の上部に設けられた表示の一例であり、左から順に、「タイマー」、「きれいモニター」、自動コースの「おまかせ」、「花粉」、「エコ」の各モード、連続コースの「静音」、「標準」、「急速」の各モードが表示されている。前面パネル２の前面部３と天面部４とが形成する稜部６の中央の内面には、位置決め部として１対の突片９が形成されている。
【００１７】
図３は、前面パネル２を取り外した状態の空気清浄機１の正面から見た本体１０を示す。本体１０には、前面パネル２のルーバー５を通過した空気をフィルタ１１を介して内部のファン（不図示）に吸い込むための吸込み口１２が形成されている。図３に示すように、本体１０の正面の右上には、第１スイッチと第２スイッチ用の２つのスイッチ孔１３ａ、１３ｂが形成され、該スイッチ孔１３ａ、１３ｂの下方には、空気清浄機１の複数のＬＥＤ孔１４が水平方向に１列に形成されている。スイッチ孔１３ａ、１３ｂ及びＬＥＤ孔１４を覆うようにシート１５が貼り付けられ、ＬＥＤ孔１４の部分は透明な窓になっている。
本体１０の前面と天面の稜部の中央には、前記前面パネル２の１対の突片９が係合する凹部１６が形成されている。
【００１８】
本体１の内部には、図４，５に示すように、図示しない第１と第２のスイッチ及び複数のＬＥＤ１７を実装した基板１８が鉛直方向に平行に配設されている。各ＬＥＤ１７は、本体１０の前面のＬＥＤ穴１４に対向している。
【００１９】
図６は、ＬＥＤ１７の光を透過する光透過部材１９と、該光透過部材１９を保持する保持部材２０とを示す。光透過部材１９は、アクリル樹脂などの乳白色の材料からなり、保持部材２０は、ＨＩＰＳ（耐衝撃性ポリスチレン）樹脂などの光透過部材１９よりも暗い、例えば灰色や黒色の材料からなる。
【００２０】
光透過部材１９は、矩形の平坦な基部２１と、該基部２１の前面に前面パネル２のＬＥＤ表示窓８に内側から嵌入する突条部２２と、前記基部２１の裏面に一定間隔で併設した複数の厚肉突部２３と、基部２１の一部に上方へ突出する摘み片２４とからなっている。隣接する厚肉突部２３の間は薄肉凹部２５となっている。光透過部材１９の外面となる突条部２２の外面は、複数のＬＥＤ１７が並ぶ方向すなわち、実施例では水平方向に平坦な面になっている。また、突条部２２の外面の上下方向は僅かに湾曲している。
【００２１】
保持部材２０は、前面パネル２を本体１０に取り付けたときに、光透過部材１９とＬＥＤ１７との間に配置されるものである。保持部材２０は、光透過部材１９の複数の厚肉突部２３が嵌入する複数の孔２６が形成されている。孔２６の周囲の壁は光非透過部２７となっている。
【００２２】
図７に示すように、厚肉突部２３と光非透過部２７の側面との間の隙間Ｇ１は０．２ｍｍ程度、薄肉凹部２５と光非透過部２７の先端面との間の隙間Ｇ２は、１．２ｍｍ程度の隙間になっている。これらの隙間は、実施例の数値のものに限定されない。
【００２３】
次に、以上の構成からなる本発明のＬＥＤ表示装置の動作について説明する。
【００２４】
まず、前面パネル２を本体１０に取り付けると、前面パネル２の一対の突片９が本体１０の凹部１６に係合する。このため、簡単な構成と動作により、前面パネル２と本体１０の正確な位置決めができ、前面パネル２のＬＥＤ表示部窓８や光透過部材１９と、本体１０のＬＥＤ１７との位置関係を維持することができる。
【００２５】
本体１０のＬＥＤ１７を点灯すると、ＬＥＤ１７を出て直進する光ａは、図７に１点鎖線で示すように、光透過部材１９の厚肉突部２３を透過し外部に放射される。またＬＥＤ光透過部材１９から斜めに進んだ光ｂは厚肉突部２３の側面を透過して保持部材２０の光非透過部２７で反射して厚肉突部２３に戻るので、外部への放散が防止される。このため、ＬＥＤ１７から出た光は、全て厚肉突部２３を通って外部に放射されるので、図９（Ａ）に示すように、ＬＥＤ１７の光を明瞭に視認することができる。
【００２６】
本体１０のＬＥＤ１７を消灯すると、光非透過部材２７が無いと仮定した場合、厚肉突部２３のほうが薄肉突部２５より薄いので、外側からは、図９（Ｂ）に示すように、厚肉突部２３のほうが薄肉突部２５より暗く見えるので、ＥＤ１７の全領域にわたって色むらが生じる。
しかし、本実施形態では、本体１０のＬＥＤ１７を消灯すると、内部は暗くなるが、外部からは光透過部材１９の厚肉突部２３の色が見える。また、薄肉凹部２５からは保持部材２０の光非透過部２７の色が見えるので、厚肉突部２３を通して見える色と薄肉凹部２５を通して見える色に差が無くなり、図９（Ｃ）に示すように、ＬＥＤ１７の全領域を均一に視認することができ、見栄えがよい。
【００２７】
また、光透過部材１９の外面は複数のＬＥＤ１７が並ぶ方向、すなわち、水平方向に平坦であるので、ＬＥＤ１７が点灯しているときには、光透過部材１９の凹凸の無い平坦な面からＬＥＤ１７の光が見え、ＬＥＤ１７が消灯しているときには、光透過部材１９の凹凸の無い平坦な面しか見えないので、見栄えがよい。
【００２８】
また、光透過部材１９の薄肉凹部２５と保持部材２０の光非透過部２７の隙間に僅かの光が進入し、この僅かな光により、厚肉突部２３を通して見える色と薄肉凹部２５を通して見える色との間の色差をより一層無くすることができ、ＬＥＤ１７の全領域をさらに均一に視認することができ、見栄えがさらに向上する。
【００２９】
なお、保持部材２０の光非透過部２７の色を黒色と乳白色の中間色とすれば、厚肉突部２３を通して見える消灯時のＬＥＤ１７の暗さと、乳白色の薄肉凹部２５を通して見える保持部材２０の光非透過部２７の暗さが同等に見えるので、ＬＥＤ１７の全領域をさらに均一に視認することができ、見栄えがさらに向上する。
【００３０】
前記実施形態は、種々変更することができる。例えば、厚肉部である厚肉突部２３は、ＬＥＤ１７と対向する部分の全面でもよいし、ＬＥＤ１７と対向する部分の一部、すなわち、ＬＥＤ１７よりも小さい形状でもよい。同様に、薄肉部である薄肉凹部２５は、ＬＥＤ１７と対向しない部分の全面でもよいし、一部でも構わない。
【００３１】
前記実施形態は、空気清浄機で説明したが、ＬＥＤ表示部を有する除湿機、加湿器などの他の空気調和機、炊飯器などの調理器を含む家庭用電気機器にも適用可能である。
【符号の説明】
【００３２】
１  空気清浄機
２  前面パネル（パネル）
１０  本体
１７  ＬＥＤ
１９  光透過部材
２０  保持部材
２３  厚肉突部（厚肉部）
２５  薄肉凹部（薄肉部）
２７  光非透過部
Ｇ１、Ｇ２  隙間
【図１】
0005729814.tif 000002
【図２】
0005729814.tif 000003
【図３】
0005729814.tif 000004
【図４】
0005729814.tif 000005
【図５】
0005729814.tif 000006
【図６】
0005729814.tif 000007
【図７】
0005729814.tif 000008
【図８】
0005729814.tif 000009
【図９】
0005729814.tif 000010